(57)【要約】【課題】  日光が直接照らされる顔の部分を最小にして顔が日に焼けることを最小限に止めることのできる耳隠し部を具備したサンキャップを提供する。【解決手段】本発明は、後方が開放された円形の弾性ヘアーバンドの前面に帽子のひさしが設置されたサンキャップにおいて、前記帽子のひさしの両端部が後方に延長するように形成されて耳を覆うことができる耳隠し部が形成され、前記弾性ヘアーバンドに設置される帽子のひさしが、弾性ヘアーバンドの前面端部から下ろした垂線に対して３０〜４５゜の角度で前方下方に張出すように設置されることを特徴とする。【選択図】図４
2005307426.tif 000002
【特許請求の範囲】
【請求項１】
後方が開放された円形の弾性ヘアーバンドの前面に帽子のひさしが設置されたサンキャップにおいて、
前記帽子のひさしの両端部が後方に延長するように形成されて耳を覆うことができる耳隠し部が形成され、前記弾性ヘアーバンドに設置される帽子のひさしが、弾性ヘアーバンドの前面端部から下ろした垂線に対して３０〜４５゜の角度で前方下方に張出すように設置されることを特徴とする耳隠し部を具備したサンキャップ。
【発明の詳細な説明】
【技術分野】
【０００１】
本発明は耳隠し部を具備したサンキャップに関し、特に、サンキャップの弾性ヘアーバンドに設置される帽子のひさしを耳まで覆うことができるように後方に延長し、前記帽子のひさしの設置角度を垂直に近づけることで、顔の前と両側面の耳まで隠して日に焼ける部分を最小にできるようにするためのものである。
【背景技術】
【０００２】
従来の一般的なサンキャップ１は、図１及び図２と図５の（Ａ）に示すように後方が開放された円形上の弾性ヘアーバンド２の前方に、半透明体で、ＵＶ遮断剤がコーティングされた帽子のひさし３が設置されている。
図２に示す通り、従来のサンキャップ１を着用した時、サンキャップ１の帽子のひさし３は着用者の目の部分だけを隠して耳部分は隠すことができなかったし、その帽子のひさし３は、弾性ヘアーバンドの前面端部から下ろした垂線に対して６０゜内外の角度で前方下方に張出すように設置されている。
【０００３】
このように従来のサンキャップ１は帽子のひさし３が両耳と両頬を覆わないため、両耳と両頬部分が日差しによって日焼けする問題があった。
また、帽子のひさし３の設置角度が６０゜内外の大きい角度で設置された場合に、顔と帽子のひさし３の端の部分との間隔が１０ｃｍ内外になるが、このように比較的広い間隔があることによって、太陽の位置が変わることによって陰の生ずる部分が変わるようになる。
太陽の位置が変わることによって、顔の陰になる部分が移動して陰の面積が小くなり、サンキャップ１に帽子のひさし３が設置されているにもかかわらず顔の鼻部分までも日光に照らされて顔の前部と鼻部分まで日焼けする問題があった。
【特許文献１】特開２００５−２９９１１号公報
【発明の開示】
【発明が解決しようとする課題】
【０００４】
本発明は前記の問題点を解決するためになされたものであって、帽子のひさしを両側後方に延長して両耳の部分が隠れるようにしながら、帽子のひさしを垂直に近づけて帽子のひさしが顔と近くなるようにし、日光が直接照らされる顔の部分を最小にして顔が日に焼けることを最小限に止めることのできる耳隠し部を具備したサンキャップを提供する。
【課題を解決するための手段】
【０００５】
前記の目的を達成するための本発明は、後方が開放された円形の弾性ヘアーバンドの前面に帽子のひさしが設置されたサンキャップにおいて、前記帽子のひさしの両端部が後方に延長するように形成されて耳を覆うことができる耳隠し部が形成され、前記弾性ヘアーバンドに設置される帽子のひさしが、弾性ヘアーバンドの前面端部から下ろした垂線に対して３０〜４５゜の角度で前方下方に張出すように設置されることを特徴とする。
【発明の効果】
【０００６】
本発明の耳隠し部を具備したサンキャップは、帽子のひさしを両側後方に延長して両耳部分が隠れるようにしながら帽子のひさしの設置角度を垂直に近くして帽子のひさしが顔と近くなるようにすることで、太陽の位置が変わる場合にも帽子のひさしと顔との間隔が近く、帽子のひさしによって顔の鼻部分までと両頬、両側耳部分まで陰になる部分が多くなる效果がある。
【発明を実施するための最良の形態】
【０００７】
以下、図３ないし図５により本発明について詳細に説明する。
本発明による耳隠し部を具備したサンキャップは、後方が開放され円形で所定の弾性を有する弾性ヘアーバンド２の前面と両側に帽子のひさし３が設置される。
帽子のひさし３の両端部は後延長されて耳を覆う耳隠し部４が形成される。弾性ヘアーバンド２に設置される帽子のひさし３は、弾性ヘアーバンドの前面端部から下ろした垂線に対して３０〜４５゜の角度で前方下方に張出すように設置される。
【０００８】
この場合、顔と帽子のひさし３の端の部分との間隔は３〜５ｃｍとなるが、この間隔が３ｃｍより小さな場合には息苦しさを感じるようになる。間隔が５ｃｍより大きい場合には顔に日光の入って来る量が多くなるので、帽子のひさし３を、弾性ヘアーバンドの前面端部から下ろした垂線に対して３０〜４５゜の角度で前方下方に張出すように設置する。
【０００９】
図５の（Ｂ）には帽子のひさし３の設置角度と共に、本発明の他の実施例を示す。
これは、帽子のひさし３の上部に不透明体の日よけ部５を設置して帽子のひさし３を透過する日光で目が眩しくならないよう日光を遮断するものである。
先に、帽子のひさし３にＵＶ遮断剤がコーティングした半透明体の例を示したが、合成樹脂材や織物で製作された不透明体も使用可能である。
以下、図３ないし図５を参考にして本発明の作用関係を説明する。
図４に示す通り、本発明によるサンキャップ１を頭に着用すると、帽子のひさし３の両端部を後方に延長して耳を覆う耳隠し部４が形成されることで、耳部分
を含め耳部分と接する両頬部分まで日焼けしなくなる。
【００１０】
また、弾性ヘアーバンド２に設置される帽子のひさし３が、弾性ヘアーバンドの前面端部から下ろした垂線に対して３０〜４５゜の角度で前方下方に張出すように設置することによって、帽子のひさし３と顔との間隔が３〜５ｃｍ程度になる。このため、太陽が移動しても鼻までの前部と両頬と両耳部分がいつも陰になり、顔が日焼けするのを防ぐことができる。
そして、帽子のひさし３はＵＶ遮断剤をコーティングした半透明体で製作されているため、紫外線も遮断できる。このように帽子のひさし３が半透明体で、着用者の顔に近接して設置されるため、帽子のひさし３はサングラスの役割をすることにもなる。
【００１１】
また、図５の（Ｂ）に示す他の実施例の場合は、帽子のひさし３の上部に不透明体の日よけ部５を設置し、帽子のひさし３を透過する日光を遮断して目が眩しくなるのを防ぐものである。
また、他の例として一般的なサンキャップや帽子に設置される帽子のひさしと同じ不透明体の帽子のひさし３を設置した場合には、不透明体の帽子のひさし３のために前方を透視することができないが、日光が全然透過しないので、顔の前と両頬と両耳まですべて隠すことで、顔が焼けるのを予防することができる。
【００１２】
以上で、本発明に関する好ましい実施例を説明したが、本発明は前記実施例に限定されず、本発明の属する技術範囲を逸脱しない範囲での全ての変更が含まれる。
【図面の簡単な説明】
【００１３】
【図１】従来のサンキャップを示す斜視図である。
【図２】従来のサンキャップを着用した状態を示す側面図である。
【図３】本発明によるサンキャップの斜視図である
【図４】本発明によるサンキャップを着用した状態を示す側面図である。
【図５】従来のサンキャップと本発明によるサンキャップに帽子のひさしが設置される角度を比較して示した側断面図であり、（Ａ）は従来のサンキャップに帽子のひさしが設置されたことを示す側断面図、（Ｂ）は本発明によるサンキャップに帽子のひさしが設置されたことを示す側断面図である。
【符号の説明】
【００１４】
１  サンキャップ
２  弾性ヘアーバンド
３  帽子のひさし
４  耳隠し部
５  日よけ部
【図１】
2005307426.tif 000003
【図２】
2005307426.tif 000004
【図３】
2005307426.tif 000005
【図４】
2005307426.tif 000006
【図５】
2005307426.tif 000007